(57)【要約】【課題】止水性を向上させるに際して、排水栓装置に使用されている構成部材を有効利用して排水栓の重みを増大すると共に、その構成部材を栓蓋開閉時の直線動案内手段として利用し、しかも排水栓結線時にインナーワイヤ（プランジャーを含む）がレリースから突出することがないようにする。【解決手段】支持軸２１にレリース３の操作力が伝達されるプランジャー３１を設け、プランジャー３１をレリース３先端に設けたプランジャーガイド３３内に摺動可能に挿入して開栓時、閉栓時共に該プランジャー３１がそのプランジャーガイド３３から外れることなくガイドされるように構成し、更に排水栓組付け前のレリース３のインナーワイヤ４３先端をプランジャーガイド３３の排水栓側先端から所定量以上後退させて操作部側に位置させ、そのインナーワイヤ４３でプランジャー３１を押動可能にする。【選択図】　図１
2004116213.tif 000002
【特許請求の範囲】
【請求項１】
排水口に設けた支持部に栓蓋の支持軸を上下動可能に支持させ、操作部の操作力をレリースで前記支持軸に伝達して排水口を開閉する排水栓装置において、前記支持軸にレリースの操作力が伝達されるプランジャーを設けていることを特徴とする排水栓装置。
【請求項２】
前記プランジャーは、金属製であり、合成樹脂製の支持軸成形時にその支持軸に一端がインサート成形されて支持軸に一体化されていることを特徴とする請求項１記載の排水栓装置。
【請求項３】
前記プランジャーがレリース先端に設けたプランジャーガイド内に摺動可能に挿入され、開栓時、閉栓時共に該プランジャーがそのプランジャーガイドから外れることなくガイドされることを特徴とする請求項１または２記載の排水栓装置。
【請求項４】
排水栓組付前のレリースのインナーワイヤ先端をプランジャーガイドの排水栓側先端から所定量以上後退させて操作部側に位置させ、そのインナーワイヤで前記プランジャーを押動可能にしていることを特徴とする請求項３記載の排水栓装置。
【発明の詳細な説明】
【０００１】
【発明の属する技術分野】
本発明は、浴槽や洗面器等の槽体に設けられた排水栓を遠隔操作で開閉する排水栓装置に関するものである。
【０００２】
【従来の技術】
従来の排水栓装置には、操作部の押動力でレリースを介して排水栓を上下動させて、排水口を開閉するものがある（例えば、特許文献１参照。）。
また、排水栓装置用のレリースとしてインナーワイヤ先端にプランジャーを一体的に設けたものがある（例えば、特許文献２参照。）。
【０００３】
【特許文献１】
実公平７−１２４５８号公報（２−３頁、第１図）
【特許文献２】
実公平７−４９０６２号（２−３頁、第１図）
【０００４】
【発明が解決しようとする課題】
一般的にレリースを使用する排水栓装置は、特許文献１のように、レリースのインナーワイヤ先端にプランジャーを設け、該プランジャーガイド内から操作部の操作力を受けたプランジャーが上下動して栓蓋の支持軸を押動して排水栓を開閉する構成になっている。先端にプランジャーガイドを備えたそのレリースは、排水口の口芯に設けた筒状の支持部（内面にスラストロック機構を有する）に取り付けてプランジャーガイドをその支持部内に挿入状に配設している。
ところで、栓蓋、支持軸の自重が栓蓋で支持したパッキンに作用して止水性が維持されるが、潜在的に水洩れの虞れを孕み、低水位の時に特にその危険性が高いのが実状である。
また、レリースは、特許文献２のように、アウターチューブ先端にプランジャーガイドを連結すると共に、インナーワイヤ先端にプランジャーを設け、操作部の押動操作によってプランジャーガイドから突出するプランジャーで栓蓋の支持軸を押動して排水栓を開閉する構造になっている。
しかしながら、排水栓組付け前のレリースではインナーワイヤ先端のプランジャーがプランジャーガイド先端と同面状もしくは同先端から僅かに操作部側に位置する程度の長さにインナーワイヤの長さを設定しており、上縁面（容体（浴槽や洗面器等））上の押し釦と、容体内（浴槽内や洗面器内等）の排水栓とに組付ける際の配線中におけるアウターチューブの湾曲変形に対するインナーワイヤの直進性の差等が影響してインナーワイヤ先端のプランジャーがプランジャーガイドから大きく突出するため、配線途中で浴槽外壁、洗面器外壁、排水口金具や隣設する機器類等にプランジャーが誤ってぶつかり、プランジャーとインナーワイヤとの溶着部に破壊応力を生じさせて耐久性を低下したり、プランジャーが変形してレリースの作動を行えなくする問題点があった。
また、特許文献２では明記してはいないが、インナーワイヤ先端にプランジャーを溶着するとコストが高騰するため、インナーワイヤそのものがプランジャーになっているものもあるが、この場合にはインナーワイヤが浴槽外壁、洗面器外壁や、排水口金具、隣設する機器類等にぶつかり座屈したり、そのインナーワイヤがコイル状のものにあっては配線中に先端の切断端部で手指を怪我をする問題があった。
【０００５】
本発明は上記従来事情に鑑みてなされたもので、その技術的課題は、止水性を向上させるに際して、排水栓装置に使用されている構成部材を有効利用して排水栓の重さを増大させることである。
更に他の目的とする処は、前記構成部材を開閉時の栓蓋の直線動案内手段として有効利用して止水性を更に向上させ、併せて排水栓組付け時にレリース（インナーワイヤ）先端がアウターチューブから突出することがないようにすることである。
【０００６】
【課題を解決するための手段】
上記目的を解決するために講じた技術的手段は、排水口に設けた支持部に栓の支持軸を上下動可能に支持させ、操作部の操作力をレリースで前記支持軸に伝達して排水口を開閉する排水栓装置において、前記支持軸にレリースの操作力が伝達されるプランジャーを設けていることを特徴とする排水栓装置である（請求項１）。
ここで、前記支持軸、プランジャーは、共に金属製、支持軸を合成樹脂製（例えばＰＯＭ製）、プランジャーを金属製、双方共に合成樹脂製にする等を包含するものである。プランジャーを金属製、支持軸を合成樹脂製にした場合には、合成樹脂製の支持軸成形時にその支持軸に一端がインサート成形されて支持軸に一体化すると好適なものである（請求項２）。
【０００７】
これによって、プランジャーの自重分、栓蓋による排水口の止水性が強化されて止水性を向上させる。そして、支持軸、プランジャーを共に金属製にした場合、この作用はより大きなものとなる。また、プランジャーのインナーワイヤによる摩耗を低減することできる。その上、支持軸を合成樹脂製（例えばＰＯＭ製）、プランジャーを金属製にした場合には、同様な作用を奏する上に、廉価を可能にするし、インサート成形によってプランジャーの支持軸への組付を簡単にする。
【０００８】
前記プランジャーがレリース先端に設けたプランジャーガイド内に摺動可能に挿入され、開栓時、閉栓時共に該プランジャーがそのプランジャーガイドから外れることなくガイドされるように構成されていると更に好適なものである（請求項３）。
即ち、閉栓状態から開栓状態に移行する際、開栓状態から閉栓状態に移行する際に双方時にプランジャーがプランジャーガイドから外れることなく案内されて栓蓋を鉛直方向に上下動させる。
【０００９】
従って、閉栓時の栓蓋を、再現性をもって排水口縁全周に密接させることができる。
【００１０】
また、排水栓組付前のレリースのインナーワイヤ先端をプランジャーガイドの排水栓側先端から所定量以上後退させて操作部側に位置させ、そのインナーワイヤで前記プランジャーを押動可能にしている場合も有効なものである（請求項４）。
ここで、前記所定量とは、配線工程中に施工現場で湾曲させたりしながら浴槽や洗面器等の排水栓に組付ける時にインナーワイヤがプランジャーガイドから突出する量を最低限として設定されている。
【００１１】
これによって、施工現場にインナーワイヤがレリースから突出することを未然に防止する。
【００１２】
次に、本発明の実施の形態を説明する。
図１〜図４に示す本発明排水栓装置の実施の形態を説明すると、符号Ａはその排水栓装置である。
【００１３】
排水栓装置Ａは、図１、図２に示すように、排水口１００を開閉する排水栓１を同排水口１００の口芯に設けた支持部１０１で上下動可能に支持し、その支持部１０１にスラストロック機構ｂを設け、操作部２に一端を連絡しているレリース３の他端をそのスラストロック機構ｂに連絡して、その操作力を、レリース３を介してスラストロック機構ｂに伝達して上昇限でロック、ロック解除を交互に繰り返して排水栓１で排水口１００を開閉する構成になっている。
【００１４】
前記排水栓１は、栓蓋１１の下面中央部に設けた支持軸２１にプランジャー３１を一体的に設けて形成されている。
この支持軸２１とプランジャー３１は、本実施の形態では支持軸２１を合成樹脂製（ＰＯＭ製）、プランジャー３１を金属製とし、そのプランジャー３１は支持軸成形時に同支持軸の下端に上端をインサート成形してある。
【００１５】
前記支持部１０１は、排水口１００の内面に係脱可能に係止される輪状体１０１ａと、輪状体１０１ａに十字状等のブラケット部１０１ｂを介して中心に抜き差し可能若しくは一体に備えられた案内筒１０１ｃとを備えた周知の構成になっている。
【００１６】
スラストロック機構ｂは、詳述しないが前記案内筒１０１ｃに上下動可能に挿入される支持軸２１の下端外周面に回転歯ｂ１を回転可能に遊嵌すると共に、固定歯ｂ２を案内筒１０１ｃの上壁内面に一体に形成し、そして同案内筒１０１ｃの内側周面に鋸歯状歯ｂ３を一体に形成して構成されている（特願２００１−１６３２３１号等参考）。尚、符号ｂ４は回転歯の鋸歯状歯への噛合を強くするための弾機である。またスラストロック機構ｂの作動状態は周知であるため、省略する。
【００１７】
レリース３は、操作部２に一端側を連結するアウターチューブ１３の先端に捩じ込み金具２３を連結し、捩じ込み金具２３に筒状のプランジャーガイド３３を立ち上げ、内部にインナーワイヤ４３を摺動可能に挿入した構成になっており、前記案内筒１０１ｃの下壁に設けた捩子孔１０１ｄにその捩じ込み金具２３を螺着することによって、前記プランジャーガイド３３を案内筒１０１ｃ内に挿入させてある。
【００１８】
前記支持軸２１は、その下端から中途高さまでの深さ範囲で前記プランジャーガイド３３のガイド用凹窪部２１１を凹設してなり、そのガイド用凹窪部２１１底に上端を固着して前記プランジャー３１が垂設されている。
【００１９】
また、前記支持軸２１は、閉栓時にその下端が案内筒１０１ｃの下壁内面に当接する程度の長さに設定されており、また、プランジャー３１は、同閉栓時に案内筒１０１ｃの下壁外面と面一な位置まで挿入される長さに設定され、そのプランジャー３１先端に近接状にしてインナーワイヤ４３先端を位置させてある。
【００２０】
操作部２は、図４に示すように開栓時、閉栓時に共に押し釦１２を押動可能に復帰させるレリース戻し弾機５を介装している。
この操作部２は、従来から周知のように、開栓時のレリース戻し弾機５の戻し力で復帰する押し釦１２の復帰高さ位置（図４二点鎖線で表す）に対してその閉栓時の押し釦１２の復帰高さ位置をインナーワイヤ４３に排水栓１の自重が加算させた分、若干高く復帰させるようにして（図４実線で表す）、開栓時と閉栓時の各々の押し釦１２の高さ位置Ｈ１、Ｈ２を変位（７〜８ｍｍ）させて視覚で開栓時と閉栓時とを区別できるようになっている。
それ故、排水栓装置として使用している時のレリース３に対して、排水栓１組付け時のレリース３の排水栓１側の先端は、図３に示すように、押し釦支持軸２２の座部２２ａがレリース戻し弾機５の上端に当接する変位空間分（Ｈ２−Ｈ１）Ｓだけ押し釦１２の自重で排水栓１側に移動し、それにアウターチューブ１３の湾曲変形に対するインナーワイヤ４３の直進性の差が加算されることから、排水栓１側の先端がその合計分Ｓ１をもって排水栓１側に移動することになるが、インナーワイヤ４３先端をプランジャーガイド３３の排水栓１側先端から所定量以上、操作部２側に後退位置させた構成にして、施工現場で浴槽や洗面器等の排水栓１に組付ける時にインナーワイヤ４３の先端が排水栓１側に大きく移動しても、同インナーワイヤ４３がプランジャーガイド３３から突出することがないようにしてある。
【００２１】
而して、操作部２の押し釦１２を押動する度に、インナーワイヤ４３がプランジャーガイド３３内でプランジャー３１を押し上げ、ロックとロック解除を交互に繰り返して排水栓１を開閉する（図１、図２）。そして、排水栓組付け前のレリース３のインナーワイヤ４３先端をプランジャーガイド３３の排水栓側先端から所定量以上後退させて操作部２側に位置させているため、前記変位空間分（Ｈ２−Ｈ１）Ｓと配線時のアウターチューブの湾曲変形に対するインナーワイヤの直進性の差（数ｍｍ）との合計量Ｓ１をもってインナーワイヤ先端が排水栓１側に移動することがあってもインナーワイヤ４３がプランジャーガイド３３から突出することが無くなる（図３）。
【００２２】
【実施例】
プランジャーガイド３３の長さ１４ｍｍ、捩じ込み金具２３の捩じ込み長さ４ｍｍ、プランジャー３１の長さ（突出長）１８ｍｍ、スラストロック機構ｂ作動必要距離（回転歯が固定歯に噛合するまでの距離）１５ｍｍ、インナーワイヤ４３のプランジャーガイド３３先端からの操作部１側への後退量１８ｍｍに各々設定されている。
そして、操作部２の押し釦１２を押動すると、インナーワイヤ４３をプランジャーガイド３３で案内しつつプランジャー３１を１５ｍｍ程度押し上げ、スラストロック機構ｂをロックして排水栓１を開栓する（図２）。
再び、操作部２の押し釦１２を押動すると、僅かにインナーワイヤ４３はプランジャーガイド３３内のプランジャー３１を押し上げ、スラストロック機構ｂのロックを解除して排水栓１を閉栓する（図１）。その閉栓状態から開栓状態に移行する際及び開栓状態から閉栓状態に移行する際に双方時にプランジャー３１は、プランジャーガイド３３から外れることなく案内される。
【００２３】
尚、符号４は、排水栓１開閉時の直進性をより安定させるために栓蓋１１の下面から垂設した被ガイド筒で、案内筒１０１ｃよりも一回り大径に形成され、排水栓１開閉時に案内筒１０１ｃの外周面を摺動するようになっている。
また、この被ガイド筒４は、前記ブラケット部１０１ｂに干渉する部分に逃げ用の凹部を下縁から凹状に切欠状に形成してある。
また、本実施の形態ではスラストロック機構を排水栓側に設けた排水栓装置について述べているが、スラストロック機構を操作部側に設けても良いものである。
【００２４】
【発明の効果】
本発明は以上のように栓蓋の支持軸にレリースの操作力が伝達されるプランジャーを設けたから、従来においてはレリースに設けられていたプランジャーを錘として有効利用して、栓蓋の重心安定性を増して栓蓋の止水性を向上させることが可能となり、低水位の時でも高止水性を発揮することに寄与し、止水性を向上させるに際して構造簡単で廉価に対処できる。
【００２５】
しかも、プランジャーが開栓時、閉栓時共にレリース先端に設けたプランジャーガイド内に摺動可能に挿入して、閉栓状態から開栓状態に移行する際、開栓状態から閉栓状態に移行する際にプランジャーがプランジャーガイドで案内されて上下動するようにもしているから、栓蓋の開閉が円滑且つ確実に行えると共に、排水口縁全周に再現性をもってしっかり密接してより優れた止水性を発揮することが可能となる。
【００２６】
その上、排水栓組付け時にプランジャーがプランジャーガイドから突出する量を最低限として、排水栓組付前のレリースのインナーワイヤ先端をプランジャーガイドの排水栓側先端から所定量以上後退させて操作部側に位置させているので、排水栓への組付け時にインナーワイヤがレリースから突出することが無く、浴槽外壁、洗面器外壁、排水口金具、他の機器類等にぶつかってインナーワイヤが座屈したり、インナーワイヤの鋭利な先端部で怪我をする虞れが全くなくなる。
【図面の簡単な説明】
【図１】本実施の形態排水栓装置の排水栓部分の拡大断面図で閉栓状態を示す。
【図２】同拡大断面図で、開栓状態を示す。
【図３】排水栓組付け時のレリース配線状態の排水栓装置を示す正面図で、一部切欠して示す。
【図４】排水栓装置の操作部の拡大断面図で、開栓時に復帰した押し釦を二点鎖線で示し、閉栓時に復帰した押し釦を実線で示す。
【符号の説明】
Ａ：排水栓装置　　　　　　２１：支持軸
１０１：排水口　　　　　　　　　３：レリース
３１：プランジャー　　　　　４３：インナーワイヤ
３３：プランジャーガイド　　　１：排水栓
２：操作部　　　　　　　　１１：栓蓋
１３：アウターチューブ　　　２３：捩じ込み金具
【図１】
2004116213.tif 000003
【図２】
2004116213.tif 000004
【図３】
2004116213.tif 000005
【図４】
2004116213.tif 000006